(57)【要約】【課題】ウェルドライン等に起因する割れを防止しつつ、プロテクタ本体に蓋部材をロックする作業性を向上させ、かつ、コンパクト化できるプロテクタを提供する。【解決手段】プロテクタ本体１２と蓋部材１３をロックするロック機構２３を備え、プロテクタ本体１２に、ロック孔３１を形成する雌側ロック部３３が設けられるとともに、蓋部材１３に、ロック孔３１に挿入される係止爪３４付の雄側ロック部３６が設けられたプロテクタであって、雌側ロック部３３の枠部３２が、一方の側壁部１２ｂの上端面１２ｆに連続する基端側上端面４１ａを形成する一対の支持部分４１と、これら連続しつつ一方の側壁部１２ｂからの離間距離が大きくなる突出端側で側壁上端面１２ｆより上方側に位置する突出端側上端面４２ａを形成する梁部分４２と、そこから突出端側上端面４２ａと同方向側の下方に突出し弾性片３５をスナップロックする係止突片部分４３とを有している。【選択図】図３
2019071776.tif 000002
【特許請求の範囲】
【請求項１】
底壁部および両側壁部を有する樋状のプロテクタ本体と、前記プロテクタ本体の両側壁部の上端に近接するよう対向配置された蓋部材と、前記両側壁部のうち少なくとも一方の側壁部と前記蓋部材を閉蓋状態にロックするロック機構と、を備え、前記プロテクタ本体に、前記一方の側壁部と共にロック孔を形成する略コの字形の枠部を有する雌側ロック部が設けられるとともに、前記ロック孔に挿入されて前記枠部に係止される係止爪付の弾性片を有する雄側ロック部が設けられたプロテクタであって、
前記雌側ロック部の枠部が、
前記一方の側壁部に支持される両端側で前記一方の側壁部の上端面に連続する一対の基端側上端面を形成する一対の支持部分と、
該一対の支持部分に一体に支持され、前記一対の基端側上端面に連続しつつ前記一方の側壁部からの離間距離が大きくなる突出端側で前記一対の基端側上端面および前記一方の側壁部の上端面より上方側に位置する突出端側上端面を形成する梁部分と、
該梁部分から前記突出端側上端面と同方向側の下方に突出し、前記雄側ロック部の前記係止爪付の弾性片をスナップロックする係止突片部分と、を有していることを特徴とすることを特徴とするプロテクタ。
【請求項２】
前記梁部分の前記突出端側上端面が、前記一対の支持部分の前記突出端側の上端面と共に傾斜面を形成し、前記梁部分の両端が、少なくとも前記一方の側壁部の上端面の上方側で前記一対の支持部分に支持されていることを特徴とする請求項１に記載のプロテクタ。
【発明の詳細な説明】
【技術分野】
【０００１】
本発明は、ワイヤハーネスを保護するプロテクタに関し、特に、電線を収納する凹部を有するプロテクタ本体に蓋部材を係止させるようにしたプロテクタに関する。
【背景技術】
【０００２】
車両に搭載されるワイヤハーネスを製造する際に、その配索区間の一部をプロテクタにより取り囲んで保護することが多い。また、プロテクタは、通常、凹状の横断面を有するプロテクタ本体と蓋部材とによって筒状をなしており、プロテクタ本体と蓋部材とがスナップロック式のロック機構によって閉蓋状態に保持されるのが一般的である。
【０００３】
この種の従来のプロテクタとしては、例えばプロテクタ本体に、その側壁に係止爪付の弾性片を形成して、弾性片とその両側の切込みを跨ぎつつ係止爪に対向する保持枠を側壁に一体に設ける一方で、蓋部材側には、係止爪により係止可能なロック穴付の係止枠からなるメスロック部を設けたものが知られている（例えば、特許文献１参照）。
【０００４】
また、係止爪付の弾性片およびその両側の切込みを有するオス側ロック部を蓋部材側に設ける一方で、オス側のロック部を挿入して係止爪を係止させることができる枠状の雌側ロック部をプロテクタ本体の側壁に設け、さらに弾性片の撓みに対する逃げ形状として、プロテクタ本体の側壁に弾性片を収容可能な凹部を形成したものも知られている（例えば、特許文献２参照）。
【先行技術文献】
【特許文献】
【０００５】
【特許文献１】特開２０１２−１６７７３６号公報
【特許文献２】特開平８−２９６６２１号公報
【発明の概要】
【発明が解決しようとする課題】
【０００６】
しかしながら、上記従来のプロテクタにあっては、プロテクタ本体の両側壁の外面側に形成されるロック機構の保持枠や雌側ロック部が、それぞれプロテクタ本体と蓋部材の突合せ面である側壁の上端面と同一の上端面を有しており、しかも、弾性片およびその両側の一対の切込みを跨ぎ、あるいは弾性片を収容する凹部を跨ぎつつ係止爪に対向する梁部分に係止爪を係止させる必要から、その梁部分が上下方向幅が制限されていた。
【０００７】
また、梁部分の両端がプロテクタ本体の両側壁から突出する位置が、係止爪付の弾性片の両側の一対の切込みあるいは弾性片を収容する凹部に近接していた。そのため、保持枠や枠状の雌側ロック部の梁部分にウェルドラインが生じ易く、そのウェルドラインを境に、ロック状態の保持枠や枠状の雌側ロック部に割れが生じ易いという問題があった。すなわち、溶融樹脂を成形型内に流入させてプロテクタ本体を成形するとき、溶融樹脂がプロテクタ本体の側壁のうち前述の一対の切込みあるいは凹部の両側壁となる２つの側壁隅部に達し、そこから梁部分へと順次断面積を縮小しながらロック孔の周囲を逆方向に流れ、その間に徐々に冷めている２つの樹脂流が合流するとき、樹脂流の先端側に膜状の薄い固化層が形成される等して、ウェルドラインが形成され易いという問題があった。
【０００８】
また、前述の高さ方向の制限内では、ロック機構の雄側ロック部の挿入作業性を確保すべくプロテクタ本体の側壁の厚さ方向にロック孔の幅を広くすると、側壁面上における保持枠や雌側ロック部の突出高さが大きくならざるを得ず、プロテクタのコンパクト化のために、ロック作業を伴う閉蓋作業の作業性低下を余儀なくされるという問題もあった。
【０００９】
本発明は、かかる従来の課題を解決すべくなされたものであり、プロテクタのコンパクト化を図りつつ、プロテクタ本体と蓋部材との間のロック機構に割れが生じたり蓋部材をプロテクタ本体にロックする閉蓋作業の作業性が低下したりするのを防止できるプロテクタを提供することを目的とする。
【課題を解決するための手段】
【００１０】
本発明に係るプロテクタは、上記目的達成のため、底壁部および両側壁部を有する樋状のプロテクタ本体と、前記プロテクタ本体の両側壁部の上端に近接するよう対向配置された蓋部材と、前記両側壁部のうち少なくとも一方の側壁部と前記蓋部材を閉蓋状態にロックするロック機構と、を備え、前記プロテクタ本体に、前記一方の側壁部と共にロック孔を形成する略コの字形の枠部を有する雌側ロック部が設けられるとともに、前記ロック孔に挿入されて前記枠部に係止される係止爪付の弾性片を有する雄側ロック部が設けられたプロテクタであって、前記雌側ロック部の枠部が、前記一方の側壁部に支持される両端側で前記一方の側壁部の上端面に連続する一対の基端側上端面を形成する一対の支持部分と、該一対の支持部分に一体に支持され、前記一対の基端側上端面に連続しつつ前記一方の側壁部からの離間距離が大きくなる突出端側で前記一対の基端側上端面および前記一方の側壁部の上端面より上方側に位置する突出端側上端面を形成する梁部分と、該梁部分から前記突出端側上端面と同方向側の下方に突出し、前記雄側ロック部の前記係止爪付の弾性片をスナップロックする係止突片部分と、を有していることを特徴とする。
【００１１】
この構成により、ロック機構の突出高さを抑えるべく、ロック孔をプロテクタ本体の側壁部の厚さ方向に幅狭くしても、突出端側上端面がプロテクタ本体の側壁部の上端面より上方側に位置するように傾斜している梁部分は、蓋部材側に突出するように断面が拡張された挿入ガイドとなる。したがって、雄側ロック部の弾性片に対して通常のロック孔と同程度以上（プロテクタ本体の両側壁部にロック機構を配置する場合にはより以上）の挿入ガイド機能が確保される。
【００１２】
しかも、プロテクタの成形時には、枠部の一対の支持部分に対して２つの樹脂流が梁部分に流入し合流する梁部分の上端側では、会合角が大きくなる一方で、新たに合流する樹脂流が梁部分から係止突片側へと斜下方に流れる樹脂流が形成されることで、ウェルドラインの発生が有効に抑制される。
【００１３】
本発明のプロテクタにおいては、前記梁部分の前記突出端側上端面が、前記一対の支持部分の前記突出端側の上端面と共に傾斜面を形成し、前記梁部分の両端が、少なくとも前記一方の側壁部の上端面の上方側で前記一対の支持部分に支持されている構成とすることもできる。
【発明の効果】
【００１４】
本発明によれば、プロテクタのコンパクト化を図りつつ、プロテクタ本体と蓋部材との間のロック機構に割れが生じたり蓋部材をプロテクタ本体にロックする閉蓋作業の作業性が低下したりするのを防止できるプロテクタを提供することができる。
【図面の簡単な説明】
【００１５】
【図１】本発明の一実施の形態に係るプロテクタの要部斜視図である。
【図２】本発明の一実施の形態に係るプロテクタの要部側面図である。
【図３】図２のIII−III矢視断面図である。
【図４】本発明の一実施の形態に係るプロテクタの要部平面図である。
【図５】比較例のプロテクタの要部側面図である。
【図６】図５のＶＩ−ＶＩ矢視断面図である。
【発明を実施するための形態】
【００１６】
以下、本発明を実施するための形態について図面を参照して説明する。
【００１７】
（一実施の形態）
図１ないし図４は、本発明の一実施の形態に係るプロテクタ１０を示している。本実施の形態のプロテクタ１０は、自動車用のワイヤハーネス１の保護材として構成される。すなわち、本実施形態のワイヤハーネス１は、プロテクタ１０によって電線群２０の特定の配索区間を保護するものである。
【００１８】
図１ないし図３に示すように、プロテクタ１０は、電線群２０の収納が可能な凹部１２ａを形成する樋状のプロテクタ本体１２と、プロテクタ本体１２に対して凹部１２ａが開口する図中の上方側に開閉可能に配置された蓋部材１３と、を備えている。
【００１９】
プロテクタ本体１２は、蓋部材１３によって凹部１２ａの開放端を閉止される閉蓋状態において、凹部１２ａに対応する電線挿通孔１４を形成するようになっている。
【００２０】
また、プロテクタ本体１２は、全体として溝状の凹部１２ａを形成する所定長さの樹脂（合成樹脂）製のものであり、その横断面が略Ｕ字形状の凹形状をなしている。このプロテクタ本体１２は、底壁部１２ｄおよびこれと直交する両側壁部１２ｂ、１２ｃを有している。
【００２１】
蓋部材１３は、プロテクタ本体１２の側壁部１２ｂ、１２ｃによって閉蓋状態に支持され得る所定長さの樹脂製の凹状体もしくは板状体であり、プロテクタ本体１２と略同一幅である。ここにいう樹脂は、例えばポリプロピレンまたはポリアミド樹脂である。
【００２２】
この蓋部材１３は、プロテクタ本体１２の両側壁部１２ｂ、１２ｃの上端面１２ｆ、１２ｇに近接する両側端部１３ａ、１３ｂを有している。
【００２３】
プロテクタ１０は、これらプロテクタ本体１２および蓋部材１３により、全体として略正方形または長方形の横断面となる角筒状に構成されている。プロテクタ本体１２および蓋部材１３を例えば側端部１３ｂ側で一体にヒンジ結合して、プロテクタ１０を単一の部品としてもよいことはいうまでもない。
【００２４】
電線群２０は、複数本の被覆電線２１を含んで構成されており、複数の電線２１の導体２１ａは、例えば複数本の軟銅線を撚り合わせた円形より線で構成されている。被覆１１ｂは、例えばポリ塩化ビニルまたはポリエチレン等を主体とする樹脂製の円筒形の絶縁材で構成されている。
【００２５】
電線群２０は、複数の電線２１を例えば絶縁テープで所定間隔を隔てて束ねたもの、あるいは絶縁テープを螺旋状に粗く巻き付けたもの、あるいは、プロテクタ１０により経路規制されるばらばらの電線群のいずれかである。
【００２６】
蓋部材１３と両側壁部１２ｂ、１２ｃとの間には、蓋部材１３を閉蓋状態にロックする少なくとも１つの、例えば複数のロック機構２３が設けられている。
【００２７】
具体的には、プロテクタ本体１２には、少なくとも一方の側壁部１２ｂと共にロック孔３１（図３および図４参照）を形成する略コの字形の枠部３２を有する雌側ロック部３３が設けられている。一方、蓋部材１３には、ロック孔３１に挿入されて枠部３２に係止される係止爪３４付の弾性片３５を有する雄側ロック部３６が設けられている。そして、互いに係止される雌側ロック部３３および雄側ロック部３６によって、ロック機構２３が構成されている。
【００２８】
各図中にはプロテクタ１０の軸方向の一箇所のロック機構２３のみを示しているが、プロテクタ１０の軸方向の複数箇所にロック機構２３が配置されており、複数のロック機構２３は、プロテクタ本体１２の長手方向に概ね等間隔に配置されている。
【００２９】
各雌側ロック部３３の枠部３２は、側壁部１２ｂ、１２ｃのうちいずれか一方の側壁面上に突出する一対の支持部分４１と、両端側でこれら一対の支持部分４１に一体に支持された梁部分４２と、梁部分４２に一体に支持された係止突片部分４３とを有している。
【００３０】
一対の支持部分４１は、例えば一方の側壁部１２ｂに支持されるその両端側（図４中の枠部３２の左右両端側であって一方の側壁部１２ｂに支持される面部分）で、一方の側壁部１２ｂの上端面１２ｆに連続する一対の基端側上端面４１ａを形成している。
【００３１】
梁部分４２は一対の支持部分４１によって一体に両端支持されており、この梁部分４２には、一対の基端側上端面４１ａに連続し、かつ、一方の側壁部１２ｂからの離間距離が大きくなる突出端側（図４中の下端側）で一対の基端側上端面４１ａおよび側壁部１２ｂの上端面１２ｆより上方側（図３中の上方側）に位置するように、その突出端側で上方に傾斜した突出端側上端面４２ａを形成している。
【００３２】
支持部分４１の基端側上端面４１ａおよび側壁部１２ｂの上端面１２ｆより上方側に位置する梁部分４２の所定高さ範囲内の部分、すなわち、突出端側上端面４２ａが形成される上端側の所定高さ範囲内の部分４２ｂを、以下、上端側部分４２ｂという。
【００３３】
係止突片部分４３は、梁部分４２から、突出端側上端面４２ａと同方向側、すなわち、上端側が一方の側壁部１２ｂから離れ、下端側が一方の側壁部１２ｂに近付く傾斜方向側の下方に向って突出している。
【００３４】
この係止突片部分４３は、雄側ロック部３６の係止爪３４付の弾性片３５が先端ガイド部３５ａ側からロック孔３１内に挿入されるとき、弾性片３５の係止爪３４により外側に押圧されて一方の側壁部１２ｂから離れるように弾性変形し、弾性片３５の係止爪３４が下方側に通過したときに一方の側壁部１２ｂに接近するように復帰して、弾性片３５を抜け止め係止できるようになっている。
【００３５】
一方の側壁部１２ｂの壁面方向における先端ガイド部３５ａの先端の幅は、ロック孔３１の同方向の長さより十分に小さくなっており、同方向における弾性片３５とロック孔３１の幅方向中心は同位置に設定されている。
【００３６】
梁部分４２の突出端側上端面４２ａは、一対の支持部分４１の突出端側の傾斜面４１ｂと共に、側壁部１２ｂの壁面方向において先端ガイド部３５ａの先端より幅広い傾斜面３２ｇを形成している。
【００３７】
また、梁部分４２は、少なくとも一方の側壁部１２ｂの上端面１２ｆの上方側で一対の支持部分４１に支持されており、図２に示すように、一対の支持部分４１の上端部と一体化された梁部分４２の両端部の上面４２ｃが一対の支持部分４１の外側面４１ｃに連続するように一定の曲率半径で湾曲しつつ斜下方に傾斜している。
【００３８】
このような梁部分４２の形状は、雄側ロック部３６の挿入時のガイド面として機能し得る傾斜面３２ｇを有することでいわゆる誘い込み構造をなすものであり、さらに、プロテクタ本体１２の射出成形時における枠部３２の成形金型部位を、一対の支持部分４１から梁部分４２に流入する樹脂流が一方の側壁部１２ｂの上端面１２ｆより上方側の高さ範囲内に流入し易い構造とするものである。
【００３９】
なお、本実施形態では、プロテクタ１０を構成する上下の凹状体のうち開蓋状態で電線群２０が収納される側をプロテクタ本体１２と呼んでおり、ロック機構２３の雌側ロック部３３がプロテクタ本体１２側に配置され、雄側ロック部３６が蓋部味１３側に配置されている。しかし、プロテクタ本体１２と蓋部材１３との突き合わせ面がロック機構２３の近傍と他の電線長さ区間で相違する場合には、ロック機構２３の雌側ロック部３３と雄側ロック部３６の配置が逆転し得る。本発明では、いずれの場合も、ロック機構の雌側ロック部が形成される側をプロテクタ本体と呼び、ロック機構の雄側ロック部が形成される側を蓋部材と呼ぶこととする。
【００４０】
次に、作用を説明する。
【００４１】
上述のように構成された本実施の形態のプロテクタ１０において、突出端側上端面４２ａがプロテクタ本体１２の側壁部１２ｂの上端面１２ｆより上方側に位置するように傾斜している梁部分４２は、蓋部材１３側に突出するように断面が拡張され、ロック孔３１の上方に幅広い誘い込み可能範囲を形成する挿入ガイドとなる。
【００４２】
したがって、側壁部１２ｂ、１２ｃのいずれか、例えば一方の側壁部１２ｂの壁面上におけるロック機構２３の突出高さを抑えるべく、そのロック孔３１をプロテクタ本体１２の側壁部１２ｂの厚さ方向に幅狭くしても、雄側ロック部３６の弾性片３５に対して通常のロック孔と同程度以上の挿入ガイド機能が得られる。
【００４３】
特に、図３に示すように、プロテクタ本体１２の両側壁部１２ｂ、１２ｃ上にそれぞれロック機構２３を配置する場合、さらに蓋部材１３の両側から雄側ロック部３６の誘い込みが可能となるので、高度な挿入ガイド機能が確保され、蓋部材１３をプロテクタ本体１２に係止する複数のロック機構２３のロック時における嵌合作業が大幅に容易化される。
【００４４】
しかも、プロテクタ１０の成形時には、枠部３２の一対の支持部分４１に対して２つの樹脂流が梁部分４２に流入し合流する梁部分４２の上端側部分４２ｂでは、２つの樹脂流の会合角が大きくなる一方で、新たに合流する樹脂流が梁部分４２から係止突片部分４３側へと斜下方に流れる樹脂流が形成される等することで、ウェルドラインの発生が有効に抑制される。
【００４５】
特に、プロテクタ本体１２の側壁部１２ｂ、１２ｃには、前述の特許文献１、２における切込みや凹部のような切欠きが必要でなく、その両側壁となる２つの側壁の隅部が形成されずに済むことから、その点からも、ウェルドラインが形成され難くなる。
【００４６】
よって、枠部３２の薄肉化が可能となり、例えばプロテクタ本体１２の側壁部１２ｂ、１２ｃを厚さ１．５ｍｍ程度にしながら、枠部３２の梁部分４２の厚さを１．１〜１．３ｍｍ程度（例えば１．２ｍｍ）にすることが可能となり、係止爪３４以外の弾性片３５の厚さを同程度に薄肉化するとこで、プロテクタ１０の有効なコンパクト化が可能となる。また、梁部分４２の上端面が蓋部材１３の上端より上方に出ることはなく、弾性片３５の上端より大きく上方に出ることもないので、他の作業への悪影響もない。
【００４７】
さらに、本実施形態では、梁部分４２の突出端側上端面４２ａが、一対の支持部分４１の突出端側の傾斜面４１ｂと共に幅広い傾斜面３２ｇを形成し、梁部分４２の両端が、少なくとも一方の側壁部１２ｂの上端面１２ｆの上方側で一対の支持部分４１に支持されている。したがって、一対の支持部分４１側からの樹脂流を、梁部分４２の上端側部分４２ｂに良好に流入させることができ、ウェルドラインの発生をより有効に抑制できる。
【００４８】
このように、本発明によれば、プロテクタ本体１２の側壁部１２ｂ、１２ｃのいずれかの壁面上における枠部３２および係止爪３４付の弾性片３５の突出高さを抑えて、プロテクタ１０のコンパクト化を図りながらも、プロテクタ本体１２と蓋部材１３との間のロック機構２３に割れが生じたり、蓋部材１３をプロテクタ本体１２にロックする閉蓋作業の作業性が低下したりすることを確実に防止することができるプロテクタ１０を提供することができる。
【００４９】
（比較例）
図５および図６に、比較例のプロテクタ５０を示す。
【００５０】
このプロテクタ５０は、一実施の形態における梁部分４２の上端側部分４２ｂに相当する部位が無く、従来と同様に、プロテクタ本体５２の側壁部５２ｂおよび蓋部材５３の外面側にロック機構６３が配置されたものである。
【００５１】
ロック機構６３の雌側ロック部６３における略コの字形の枠部６２は、それぞれプロテクタ本体５２と蓋部材５３の突合せ面である側壁部５２ｂの上端面５２ｆと同一高さの上端面６２ａを有するものである。
【００５２】
この場合、梁部分７２の上方側に雄側ロック部６６の挿入ガイド面７２ａを十分に形成できず、誘い込み効果を発揮させることができないため、側壁部５２ｂの厚さ方向（図６の左右方向）における枠部６２の梁部分７２の厚さおよびロック孔７１の幅をある程度大きくしている。
【００５３】
具体的には、プロテクタ本体５２の側壁部５２ｂを厚さ１．５ｍｍとし、枠部６２の梁部分７２の厚さ幅１．５ｍｍとして、側壁部５２ｂの厚さ方向におけるロック孔７１の幅は一実施の形態におけるロック孔３１に対し１．５倍程度大きくしており、それに伴って雄側ロック部６６の厚さも同程度の倍率で大きくなっている。
【００５４】
この比較例の構成で、側壁部５２ｂの壁面上におけるロック機構６３の突出高さを抑えると、ロック機構６３のロック時の嵌合作業性が低下することになり、プロテクタ５０のコンパクト化が容易でなくなってしまう。
【００５５】
上述の一実施の形態では、そのような不具合が解消されている。
【００５６】
このように、本実施の形態においては、ウェルドライン等に起因する割れを防止しつつプロテクタ本体に蓋部材をロックする作業性を向上させ、かつ、コンパクト化を図ることができるプロテクタ１０を提供することができる。
【００５７】
なお、上述の一実施の形態では、プロテクタ本体１２と蓋部材１３の間のロック機構２３を、側壁部１２ｂ、１２ｃのうちいずれか一方、例えば側壁部１２ｂ側に設ける場合について説明したが、両側壁部１２ｂ、１２ｃのそれぞれと蓋部材１３の間にロック機構２３を設けることや、各側壁部１２ｂ、１２ｃ側に複数のロック機構２３を配置してもよいことはいうまでもない。また、ロック機構２３における雌側ロック部３３と雄側ロック部３６の嵌合および係止が正常に可能な範囲内で、プロテクタ本体１２や蓋部材１３の形状が屈曲したり部分的に湾曲したりしていてもよい。
【００５８】
以上説明したように、本発明は、コンパクト化を図りつつロック機構での割れや蓋部材をロックする閉蓋作業での作業性低下を防止できるプロテクタを提供できるものであり、電線を収納する凹部を有するプロテクタ本体に蓋部材を係止させるようにしたプロテクタ全般に有用である。
【符号の説明】
【００５９】
１  ワイヤハーネス
１０  プロテクタ
１１ｂ  被覆
１２  プロテクタ本体
１２ａ  凹部
１２ｂ、１２ｃ  側壁部
１２ｄ  底壁部
１２ｆ、１２ｇ  上端面
１３  蓋部材
１３ａ、１３ｂ  側端部
１４  電線挿通孔
２０  電線群
２１  電線（被覆電線）
２１ａ  導体
２３  ロック機構
３１  ロック孔
３２  枠部
３２ｇ  傾斜面
３３  雌側ロック部
３４  係止爪
３５  弾性片
３５ａ  先端ガイド部
３６  雄側ロック部
４１  支持部分
４１ａ  基端側上端面
４１ｂ  突出端側の傾斜面
４１ｃ  外側面
４２  梁部分
４２ａ  突出端側上端面
４２ｂ  上端側（上端側の所定高さ範囲の部分）
４２ｃ  上面
４３  係止突片部分
【図１】
2019071776.tif 000003
【図２】
2019071776.tif 000004
【図３】
2019071776.tif 000005
【図４】
2019071776.tif 000006
【図５】
2019071776.tif 000007
【図６】
2019071776.tif 000008
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
底壁部および両側壁部を有し、凹部を形成するプロテクタ本体と、
前記凹部の開放端を閉止する蓋部材と、を備え、
前記蓋部材は、係止爪付の弾性片を備える雄側ロック部を有し、
前記プロテクタ本体は、前記両側壁部のうち少なくとも一方の側壁部に前記係止爪を係止する枠部を備える雌側ロック部を有し、
前記雌側ロック部の枠部が、
前記一方の側壁部の上端面に連続する一対の基端側上端面を形成する一対の支持部分と、
該一対の支持部分に一体に支持され、前記一対の基端側上端面に連続する突出端側上端面を形成する梁部分と、
該梁部分から下方に突出し、前記雄側ロック部の前記係止爪付の弾性片を係止する係止突片部分と、を有し、
前記突出端側上端面は、前記一対の基端側上端面および前記一方の側壁部の上端面より上方側に位置し、
前記突出端側上端面および前記係止突片部分は、上端側が前記一方の側壁部から離れ、下端側が前記上端側と比べて前記一方の側壁部に近付く方向に突出していることを特徴とするプロテクタ。
【請求項２】
前記梁部分の前記突出端側上端面が、前記一対の支持部分の前記突出端側の上端面と共に傾斜面を形成し、前記梁部分の両端が、少なくとも前記一方の側壁部の上端面の上方側で前記一対の支持部分に支持されていることを特徴とする請求項１に記載のプロテクタ。
【手続補正２】
【補正対象書類名】明細書
【補正対象項目名】００１０
【補正方法】変更
【補正の内容】
【００１０】
本発明に係るプロテクタは、上記目的達成のため、底壁部および両側壁部を有し、凹部を形成するプロテクタ本体と、前記凹部の開放端を閉止する蓋部材と、を備え、前記蓋部材は、係止爪付の弾性片を備える雄側ロック部を有し、前記プロテクタ本体は、前記両側壁部のうち少なくとも一方の側壁部に前記係止爪を係止する枠部を備える雌側ロック部を有し、前記雌側ロック部の枠部が、前記一方の側壁部の上端面に連続する一対の基端側上端面を形成する一対の支持部分と、該一対の支持部分に一体に支持され、前記一対の基端側上端面に連続する突出端側上端面を形成する梁部分と、該梁部分から下方に突出し、前記雄側ロック部の前記係止爪付の弾性片を係止する係止突片部分と、を有し、前記突出端側上端面は、前記一対の基端側上端面および前記一方の側壁部の上端面より上方側に位置し、前記突出端側上端面および前記係止突片部分は、上端側が前記一方の側壁部から離れ、下端側が前記上端側と比べて前記一方の側壁部に近付く方向に突出していることを特徴とする。